(57)【要約】【課題】  管理、持ち運びが容易な複数の機能を備えた万能工具を提供する。【解決手段】  棒状の柄２と、柄２の一端部に第１連結手段を介して着脱自在に取り付けられる各種の工具本体１２と、柄２の他端部に第２連結手段を介して着脱自在に取り付けられる把手２５とを備える。工具本体１２は、柄２の一端部に第１連結手段を介して着脱自在に取り付けられるツルハシ本体１３、スコップ本体等からなり、用途に応じてツルハシ本体１３、スコップ本体等を取り付けることにより、ツルハシとしての機能、スコップとしての機能等が得られる。把手２５の握り３１も工具本体１２として機能し、握り３１を柄２に取り付けることにより、金槌としての機能が得られる。【選択図】        図１
0003105526.tif 000002
【実用新案登録請求の範囲】
【請求項１】
棒状の柄と、該柄の一端部に第１連結手段を介して着脱自在に取り付けられる各種の工具本体と、前記柄の他端部に第２連結手段を介して着脱自在に取り付けられる把手とを備えた万能工具であって、前記柄の一端部に取り付けられる工具本体に応じた機能が得られるように構成したことを特徴とする万能工具。
【請求項２】
前記第１連結手段は、前記柄の一端部に設けられるねじと、該ねじと相互に螺合可能な前記工具本体の端部に設けられるねじ孔とからなり、前記第２連結手段は、前記柄の他端部に設けられるねじと、該ねじと相互に螺合可能な前記把手の端部に設けられるねじ孔とからなることを特徴とする請求項１に記載の万能工具。
【請求項３】
前記工具本体は、一端部に前記第１連結手段のねじ孔が設けられる支持部と、該支持部の他端部に一体に連結されるツルハシ本体とからなり、又は一端部に前記第１連結手段のねじ孔が設けられる支持部と、該支持部の他端部に一体に連結されるスコップ本体とからなり、又は一端部に前記第１連結手段のねじ孔が設けられる支持部と、該支持部の他端部に一体に連結される鍬本体とからなり、又は一端部に前記第１連結手段のねじ孔が設けられる支持部と、該支持部の他端部に一体に連結される鋤本体とからなることを特徴とする請求項２に記載の万能工具。
【請求項４】
前記柄の周面の一部に、足掛けを着脱自在に取り付けたことを特徴とする請求項１から３の何れかに記載の万能工具。
【請求項５】
前記把手には、握りと兼用の工具本体が着脱自在に取り付けられ、該工具本体を前記把手から取り外して、工具本体に第１連結手段を介して前記柄を取り付けることにより、該工具本体に応じた機能が得られるように構成したことを特徴とする請求項１に記載の万能工具。
【請求項６】
前記第１連結手段は、前記柄の一端部のねじと、該ねじと相互に螺合可能な前記工具本体の周面に設けられるねじ孔とからなることを特徴とする請求項５に記載の万能工具。
【考案の詳細な説明】
【技術分野】
【０００１】
本考案は、土木、建築工事、農耕作業等に用いられる万能工具に関し、特に、スコップ、ツルハシ、金槌等の複数の機能を備えた万能工具に関する。
【背景技術】
【０００２】
土木、建築工事、農耕作業等に用いられる工具の一例として、スコップ、ツルハシ、金槌等があり、これらの工具を用途に応じて使い分けることにより、所望の作業を行うことができるものである（例えば、特許文献１参照。）。
【特許文献１】特開２００４−１１３６５号公報
【考案の開示】
【考案が解決しようとする課題】
【０００３】
しかし、上記のような工具にあっては、それぞれ単独の機能しか備えていないため、複数の用途に対応させるためには、それぞれの用途に応じた工具を用意しなければならず、保管、持ち運び等に嵩張ってしまう。
【０００４】
本考案は、上記のような従来の問題を解決したものであって、一つの工具で数種の用途に対応でき、これにより保管、持ち運び等に嵩張るようなことがない万能工具を提供することを目的とするものである。
【課題を解決するための手段】
【０００５】
上記のような課題を解決するために、本考案の請求項１に係る万能工具は、棒状の柄と、該柄の一端部に第１連結手段を介して着脱自在に取り付けられる各種の工具本体と、前記柄の他端部に第２連結手段を介して着脱自在に取り付けられる把手とを備えた万能工具であって、前記柄の一端部に取り付けられる工具本体に応じた機能が得られるように構成した手段を採用している。
【０００６】
また、本考案の請求項２に係る万能工具は、請求項１に記載の万能工具であって、前記第１連結手段は、前記柄の一端部に設けられるねじと、該ねじと相互に螺合可能な前記工具本体の端部に設けられるねじ孔とからなり、前記第２連結手段は、前記柄の他端部に設けられるねじと、該ねじと相互に螺合可能な前記把手の端部に設けられるねじ孔とからなる手段を採用している。
【０００７】
さらに、本考案の請求項３に係る万能工具は、請求項２に記載の万能工具であって、前記工具本体は、一端部に前記第１連結手段のねじ孔が設けられる支持部と、該支持部の他端部に一体に連結されるツルハシ本体とからなり、又は一端部に前記第１連結手段のねじ孔が設けられる支持部と、該支持部の他端部に一体に連結されるスコップ本体とからなり、又は一端部に前記第１連結手段のねじ孔が設けられる支持部と、該支持部の他端部に一体に連結される鍬本体とからなり、又は一端部に前記第１連結手段のねじ孔が設けられる支持部と、該支持部の他端部に一体に連結される鋤本体とからなる手段を採用している。
【０００８】
さらに、本考案の請求項４に係る万能工具は、請求項１から３の何れかに記載の万能工具であって、前記柄の周面の一部に、足掛けを着脱自在に取り付けた手段を採用している。
【０００９】
さらに、本考案の請求項５に係る万能工具は、請求項１に記載の万能工具であって、前記把手には、握りと兼用の工具本体が着脱自在に取り付けられ、該工具本体を前記把手から取り外して、工具本体に第１連結手段を介して前記柄を取り付けることにより、該工具本体に応じた機能が得られるように構成した手段を採用している。
【００１０】
さらに、本考案の請求項６に係る万能工具は、請求項５に記載の万能工具であって、前記第１連結手段は、前記柄の一端部のねじと、該ねじと相互に螺合可能な前記工具本体の周面に設けられるねじ孔とからなる手段を採用している。
【考案の効果】
【００１１】
本考案は、前記のように構成したことにより、柄の一端部に第１連結手段を介して所望の工具本体を取り付けることにより、その工具本体に応じた機能が得られることになる。従って、柄及び把手を兼用として、各種の工具本体を用意することにより、各種の工具本体の機能が得られることになるので、各種の工具を用意する場合に比べて、嵩張るようなことがなくなり、管理、持ち運び等が容易となる。
さらに、第１連結手段は、ねじとねじ孔との組合せからなるものであるので、工具本体の着脱が容易であり、作業の内容を変更する場合等に短時間で工具本体を他の工具本体と交換でき、作業効率を向上させることもできる。
さらに、把手の握りを工具本体として機能させることもできるので、これによっても嵩張りをなくし、管理、持ち運びを容易にすることができる。
【考案を実施するための最良の形態】
【００１２】
以下、図面に示す本考案の実施の形態について説明する。
図１〜図１０には、本考案による万能工具の一実施の形態が示されていて、図１はツルハシとして機能させた説明図、図２〜図５は図１の部分拡大断面図、図６はスコップとして機能させた説明図、図７は図６の部分拡大断面図、図８は金槌として機能させた説明図、図９及び図１０は工具本体の他の例を示す説明図である。
【００１３】
すなわち、この万能工具１は、土木、建築工事、農耕作業等に有効なものであって、図１に示すように、柄２と、柄２の一端部に着脱自在に取り付けられる各種の工具本体１２と、柄２の他端に着脱自在に取り付けられる把手２５と、把手２５の構成部品と兼用の工具本体１２とを備えている。
【００１４】
柄２は、図１〜図３に示すように、木、プラスチック、金属等から形成される丸棒状をなすものであって、両端部にそれぞれ所定の長さのねじ３、５が一体に設けられている。柄２の一端部のねじ３と、そのねじ３と相互に螺合可能な後述する工具本体１２のねじ孔１６、２１とによって第１連結手段４が構成され、柄２の他端部のねじ５と、そのねじ５と相互に螺合可能な後述する把手２５のねじ孔２８とによって第２連結手段２７が構成される。
【００１５】
第１連結手段４のねじ３とねじ孔１６、２１との協働により、柄２の一端部に工具本体１２が着脱自在に取り付けられ、第２連結手段２７のねじ５とねじ孔２８との協働により、柄２の他端部に把手２５が着脱自在に取り付けられる。
【００１６】
柄２の一部には、図４に示すように、柄２を軸線と直交する方向に貫通するねじ孔７が設けられ、このねじ孔７を介して柄２の周面の一部に足掛け８が取り付けられる。足掛け８は、棒状の足掛け本体９と、足掛け本体９の一端部に一体に設けられるねじ１０とからなり、ねじ１０を柄２のねじ孔７に螺合させて先端部をねじ孔７から突出させ、突出させたねじ１０の先端部にナット１１を螺合させて締め付けることにより、柄２に一体に取り付けられる。足掛け８は、棒状に限らず、板状等としても良い。
【００１７】
工具本体１２は、図１（ａ）（ｂ）に示すように、金属製のツルハシ部１４と、ツルハシ部１４を支持する棒状の支持部１５とからなるツルハシ本体１３と、図６に示すように、金属製のスコップ部１９と、スコップ部１９を支持する棒状の支持部２０とからなるスコップ本体１８と、図５及び図８に示すように、後述する金槌本体３０と、図９に示すように、金属製の鍬部３７と、鍬部３７を支持する棒状の支持部３８とからなる鍬本体３６と、図１０に示すように、金属製の鋤部４１と、鋤部４１を支持する棒状の支持部４２とからなる鋤本体４０とを備えており、用途に応じて何れかの工具本体１２を選択して使用することにより、所謂ツルハシ、スコップ、金槌、鍬、鋤としての機能が得られる。
【００１８】
図３に示すように、工具本体１２であるツルハシ本体１３の支持部１５の端部には、柄２の一端部のねじ３と相互に螺合可能なねじ孔１６が設けられ、このねじ３とねじ孔１６とによってツルハシ本体１３を柄２に着脱させる第１連結手段４が構成される。
【００１９】
図７に示すように、工具本体１２であるスコップ本体１８の支持部２０の端部には、柄２の一端部のねじ３と相互に螺合可能なねじ孔２１が設けられ、このねじ３とねじ孔２１とによってスコップ本体１８を柄２に着脱させる第１連結手段４が構成される。
【００２０】
なお、図９に示す鍬本体３６及び図１０に示す鋤本体４０は、ツルハシ本体１３及びスコップ本体１８と同様に第１連結手段４によって柄２に着脱自在に連結されるので、その詳細な説明は省略するものとする。
【００２１】
把手２５は、図１、図２及び図５に示すように、丸棒状の取付け部２６と、取付け部２６の一端面に設けられるねじ孔２８と、取付け部２６の他端部に一体に設けられるＶ形状の支持部２９と、支持部２９の開口端部間に着脱自在に取り付けられる工具本体１２である握り３１とから構成され、取付け部２６のねじ孔２８と柄２の他端部のねじ５とを相互に螺合させることにより、柄２の他端部に着脱自在に取り付けられる。取付け部２６のねじ孔２８と柄２の他端部のねじ５とによって、把手２５を柄２に着脱自在に取り付ける第２連結手段２７が構成される。
【００２２】
握り３１は、木、プラスチック、金属等から形成される略円柱状をなすものであって、両端面にそれぞれねじ孔３２、３２が設けられ、長手方向の中央部の周面に第１連結手段４としてのねじ孔３３が設けられている。
【００２３】
握り３１は、支持部２９の開口端部間に位置し、支持部２９の開口端部に設けられているねじ挿通用の孔２９ａ内に固定用ねじ３５を挿通させ、この固定用ねじ３５を両端面のねじ孔３２、３２に螺合させて締め付けることにより、支持部２９の開口端部間に取り付けられ、把手２５の握り３１として機能する。
【００２４】
図８に示すように、握り３１は、工具本体１２としても機能する。すなわち、把手２５の支持部２９から取り外し、第１連結手段４を介して柄２の一端部に取り付けることにより、工具本体１２である金槌の頭部として機能する。すなわち、周面のねじ孔３３に柄２の一端部のねじ３を螺合させて締め付けることにより、金槌の頭部として機能する。この場合、柄２は、金槌の柄として機能する。
【００２５】
上記のように構成したこの実施の形態による万能工具にあっては、柄２及び把手２５を兼用として、柄２の一端部に第１連結手段４を介して工具本体１２であるツルハシ本体１３、スコップ本体１８、鍬本体３６又は鋤本体４０を取り付けることにより、所謂ツルハシ、スコップ、鍬又は鋤としての機能が得られ、さらに、把手２５から工具本体１２である握り３１を取り外して、柄２の一端部に第１連結手段４を介して工具本体１２である握り３１を取り付けることにより、所謂金槌として機能させることができる。
【００２６】
さらに、図示はしないが、ツルハシ本体１３を柄２に取り付けた場合には、所謂梃子捧として機能させることができ、重量物を手でこじ上げるのに利用することができる。この場合、楔状の台を使用し、その台の上部にツルハシ本体１３をばね等によって保持するようにしても良い。
【００２７】
従って、工具としてのツルハシ、スコップ、金槌、鍬、鋤を単体で用意する必要がないので、嵩張りを少なくすことができるので、管理、持ち運びが容易となる。
【００２８】
なお、前記の説明においては、工具本体１２としてツルハシ、スコップ、金槌、鍬、鋤を用意したが、それ以外の工具を工具本体として機能させても良いものであり、その場合にも同様の作用効果を奏するものである。
【００２９】
また、前記の説明においては、柄と工具本体とをねじとねじ孔とからなる第１連結手段によって着脱自在に連結し、柄と把手とをねじとねじ孔とからなる第２連結手段によって着脱自在に連結したが、第１連結手段及び第２連結手段をワンタッチで着脱できる周知のものを使用しても良い。
【図面の簡単な説明】
【００３０】
【図１】本考案による万能工具をツルハシとして機能させた状態を示した説明図であって、（ａ）は正面図、（ｂ）は（ａ）の側面図である。
【図２】図１のＢ部の拡大断面図である。
【図３】図１のＡ部の拡大断面図である。
【図４】図１の足掛けを示した拡大図である。
【図５】図１の把手の部分拡大図である。
【図６】本考案による万能工具をスコップとして機能させた状態を示した説明図である。
【図７】図６のＣ部の拡大断面図である。
【図８】本考案による万能工具を金槌として機能させた状態を示した説明図である。
【図９】工具本体の他の例を示した説明図である。
【図１０】工具本体の他の例を示した説明図である。
【符号の説明】
【００３１】
１  万能工具
２  柄
３、５、１０  ねじ
４  第１連結手段
７  ねじ孔
８  足掛け
９  足掛け本体
１１  ナット
１２  工具本体
１３  ツルハシ本体
１４  ツルハシ部
１５、２０、２９、３８、４２  支持部
１６、２１、２８、３２、３３  ねじ孔
１８  スコップ本体
１９  スコップ部
２５  把手
２６  取付け部
２７  第２連結手段
２９ａ  ねじ挿通用の孔
３０  金槌本体
３１  握り
３５  固定用ねじ
３６  鍬本体
３７  鍬部
４０  鋤本体
４１  鋤部
【図１】
0003105526.tif 000003
【図２】
0003105526.tif 000004
【図３】
0003105526.tif 000005
【図４】
0003105526.tif 000006
【図５】
0003105526.tif 000007
【図６】
0003105526.tif 000008
【図７】
0003105526.tif 000009
【図８】
0003105526.tif 000010
【図９】
0003105526.tif 000011
【図１０】
0003105526.tif 000012